(57)【要約】【課題】浴槽内に安定よく設置でき、しかも、噴出部から噴出された炭酸ガスが温水に滞在できる時間を長くできる炭酸入浴装置の提供。【解決手段】炭酸ガスボンベ３を収容するとともに、炭酸ガスボンベ３から流出する炭酸ガスを浴槽内の温水中に噴出する噴出部４を支持する容器５を備え、炭酸ガスボンベ３が、その軸心方向が容器５の底面部７に沿った倒れ姿勢で収容され、噴出部４の下端部の高さＨ３が炭酸ガスボンベの上端部の高さＨ４よりも低くなる状態で容器５に対して噴出部４及び炭酸ガスボンベ３が配置されている。【選択図】図７
0003204539.tif 000002
【実用新案登録請求の範囲】
【請求項１】
炭酸ガスが封入された炭酸ガスボンベと、前記炭酸ガスボンベから流出する炭酸ガスを浴槽内の温水中に噴出する噴出部と、前記炭酸ガスボンベを収容するとともに前記噴出部を支持する容器と、を備えた炭酸入浴装置であって、
前記炭酸ガスボンベが、その軸心方向が前記容器の底面部に沿った倒れ姿勢で収容され、
前記噴出部の下端部が前記炭酸ガスボンベの上端部よりも低くなる状態で前記容器に対して前記噴出部及び前記炭酸ガスボンベが配置されている炭酸入浴装置。
【請求項２】
前記容器は、上面から下方に向かって凹入する凹入部を備え、
前記噴出部は、前記凹入部に少なくとも一部が没入する状態で前記容器に支持されている請求項１に記載の炭酸入浴装置。
【請求項３】
前記噴出部は、その全体が前記凹入部に没入する状態で前記容器に支持されている請求項２に記載の炭酸入浴装置。
【請求項４】
前記噴出部は、前記炭酸ガスボンベの軸心方向に沿う長尺状に形成されている請求項１〜３のいずれか１項に記載の炭酸入浴装置。
【請求項５】
前記炭酸ガスボンベから前記噴出部に亘って配設されて前記炭酸ガスボンベから流出する炭酸ガスが通流するガス配管を備え、
前記ガス配管は、ガス通流方向で前記炭酸ガスボンベ側となる第１配管と、前記ガス通流方向で前記噴出部側となる第２配管とを分離自在に備え、
前記容器は、前記炭酸ガスボンベを収容する第１部材と、前記噴出部を支持する第２部材とを分離自在に備えて、前記第１部材と前記第２部材とが分離した分離状態と、前記第１部材と前記第２部材とが合体した合体状態とに切換自在に構成され、
前記第１配管が前記第１部材に取り付けられ、前記第２配管が前記第２部材に取り付けられ、
前記容器を前記分離状態から前記合体状態に切り換えるに伴って、前記第１配管と前記第２配管とが結合し、かつ、前記容器を前記合体状態から前記分離状態に切り換えるに伴って前記第１配管と前記第２配管とが分離する請求項１〜４のいずれか１項に記載の炭酸入浴装置。
【請求項６】
前記第１部材及び前記第２部材の、一方に案内部が備えられ、他方に被案内部が備えられ、
前記案内部は、前記第１部材及び前記第２部材を相対移動させて前記容器を前記分離状態と前記合体状態との間で切り換える場合の相対移動方向に沿って、前記被案内部を案内する請求項５に記載の炭酸入浴装置。
【請求項７】
前記容器は、前記容器の内部と外部を連通させる連通孔を複数備えている請求項１〜６のいずれか１項に記載の炭酸入浴装置。
【考案の詳細な説明】
【技術分野】
【０００１】
本考案は、浴槽に貯められた温水に炭酸ガスを供給する炭酸入浴装置に関する。
【背景技術】
【０００２】
上記のような炭酸入浴装置に関する従来技術として、実登３２００１２０号公報（特許文献１）に記載された炭酸入浴装置がある。特許文献１の炭酸入浴装置では、炭酸ガスボンベに貯留されている炭酸ガスを供給源として、容器に支持されている噴出部から浴槽内の温水中に炭酸ガスを噴出するため、炭酸ガスボンベの容量に応じて長時間にわたり継続的に浴槽内の温水に炭酸ガスを供給することが可能である。
そのため、特許文献１の炭酸入浴装置では、固形の入浴剤を浴槽内の温水に投入し溶解させて炭酸ガスを温水に供給する炭酸ガスの供給方法に比べ、圧倒的に多くの炭酸ガスを浴槽内の温水に供給することができ、温浴効果がより期待できる点で優れている。
【先行技術文献】
【特許文献】
【０００３】
【特許文献１】実用新案登録第３２００１２０号公報
【考案の概要】
【考案が解決しようとする課題】
【０００４】
しかしながら、特許文献１の炭酸入浴装置は、容器に収容されている炭酸ガスボンベの直上に噴出部が位置しており、炭酸ガスボンベの上端よりも噴出部の下端が高い状態で噴出部が支持されている。そのため、炭酸ガスボンベが上下方向で占有する範囲と噴出部が上下方向で占有する範囲とが積み重なり、上下方向にかさ高な炭酸入浴装置となっている。
上下方向にかさ高な炭酸入浴装置であると、装置の重心の位置が高くなるため、装置を浴槽内に設置した場合に安定性が悪いという問題がある。また、かさ高な炭酸入浴装置であると、装置を浴槽内に設置した場合に、噴出部と浴槽の底面との距離が長くなるため、噴出部が浴槽内の温水の表面に近付くことになる。その結果、噴出部から噴出された炭酸ガスが温水の表面に達するまでの距離が短くなり、その分、炭酸ガスが温水に滞在できる時間が短くなる。そのため、噴出部から噴出された炭酸ガスが温水に十分に溶解できずに温水の表面に達して温水外に放出されてしまうという問題がある。このように、特許文献１の炭酸入浴装置は、装置の本来の機能である温水中への炭酸ガスの供給に関して不利な構成になっている。
【０００５】
本考案は、上記実情に鑑みて為されたものであって、その目的は、浴槽内に安定よく設置でき、しかも、噴出部から噴出された炭酸ガスが温水に滞在できる時間を長くできる炭酸入浴装置を提供する点にある。
【課題を解決するための手段】
【０００６】
この目的を達成するために、本考案に係る炭酸入浴装置の第１特徴構成は、
炭酸ガスが封入された炭酸ガスボンベと、前記炭酸ガスボンベから流出する炭酸ガスを浴槽内の温水中に噴出する噴出部と、前記炭酸ガスボンベを収容するとともに前記噴出部を支持する容器と、を備えた炭酸入浴装置において、
前記炭酸ガスボンベが、その軸心方向が前記容器の底面部に沿った倒れ姿勢で収容され、
前記噴出部の下端部が前記炭酸ガスボンベの上端部よりも低くなる状態で前記容器に対して前記噴出部及び前記炭酸ガスボンベが配置されている点にある。
【０００７】
本特徴構成によれば、炭酸ガスボンベから流出する炭酸ガスが噴出部から浴槽内の温水中に噴出され、浴槽内の温水に炭酸ガスが溶解し炭酸浴が可能となる。
しかも、炭酸ガスボンベが倒れ姿勢で容器に収容され、噴出部の下端部は、倒れ姿勢の炭酸ガスボンベの上端部よりも低いので、噴出部を炭酸ガスボンベの上端よりも上方に配置する場合に比べて、噴出部が低く配置されることになる。そのため、装置がかさ高になることを抑制して装置の重心の位置が高くなることを抑制でき、装置を浴槽内に設置した場合に安定性が良い。
さらに、噴出部が低く配置されることで、装置を浴槽内に設置した場合に、噴出部と浴槽の底面との距離が短くなるため、噴出部が浴槽内の温水の表面から遠ざかることになる。その結果、噴出部から噴出された炭酸ガスが温水の表面に達するまでの距離が長くなり、その分、炭酸ガスが温水に滞在できる時間が長くなる。
このように、本特徴構成によれば、浴槽内に安定よく設置でき、しかも、噴出部から噴出された炭酸ガスが温水に滞在できる時間を長くできる炭酸入浴装置を得るに至った。
【０００８】
本考案に係る炭酸入浴装置の第２特徴構成は、前記容器は、上面から下方に向かって凹入する凹入部を備え、前記噴出部は、前記凹入部に少なくとも一部が没入する状態で前記容器に支持されている点にある。
【０００９】
本特徴構成によれば、容器の上面から下方に向かって凹入する凹入部に噴出部の少なくとも一部が没入しているので、噴出部の位置が大きくずれる事態を防止できる。しかも、凹入部は上向きに開放されているため、噴出部から噴出する炭酸ガスが上方に移動する邪魔になり難い。
凹入部は好ましくは、噴出部の形状に対応した形状がよい。例えば、平面視で直線状の噴出部であれば、凹入部も同様に平面視で直線状に形成され、平面視で円環状の噴出部であれば、凹入部も同様に平面視で円環状に形成されるのが好ましい。
【００１０】
本考案に係る炭酸入浴装置の第３特徴構成は、前記噴出部は、その全体が前記凹入部に没入する状態で前記容器に支持されている点にある。
【００１１】
本特徴構成によれば、噴出部が容器の上面から容器の外部空間に突出しないので、噴出部が破損し難いとともに、例えば、多孔質物質で構成された噴出部が入浴者の身体に接触して肌を傷つける事態を防止できる。なお、噴出部の全体を凹入部に没入させる場合、容器の上面を平面状に形成するのが好ましいが、例えば、上方に膨出するドーム状に形成してもよい。
【００１２】
本考案に係る炭酸入浴装置の第４特徴構成は、前記噴出部は、前記炭酸ガスボンベの軸心方向に沿う長尺状に形成されている点にある。
【００１３】
本特徴構成によれば、炭酸ガスボンベと噴出部とが長手方向が揃った状態で配置できるので、炭酸ガスボンベの軸心方向と直交する方向で容器をコンパクトにすることが可能となる。
【００１４】
本考案に係る炭酸入浴装置の第５特徴構成は、前記炭酸ガスボンベから前記噴出部に亘って配設されて前記炭酸ガスボンベから流出する炭酸ガスが通流するガス配管を備え、前記ガス配管は、ガス通流方向で前記炭酸ガスボンベ側となる第１配管と、前記ガス通流方向で前記噴出部側となる第２配管とを分離自在に備え、前記容器は、炭酸ガスボンベを収容する第１部材と、前記噴出部を支持する第２部材とを分離自在に備えて、前記第１部材と前記第２部材とが分離した分離状態と、前記第１部材と前記第２部材とが合体した合体状態とに切換自在に構成され、前記第１配管が前記第１部材に取り付けられ、前記第２配管が前記第２部材に取り付けられ、前記容器を前記分離状態から前記合体状態に切り換えるに伴って、前記第１配管と前記第２配管とが結合し、かつ、前記容器を前記合体状態から前記分離状態に切り換えるに伴って前記第１配管と前記第２配管とが分離する点にある。
【００１５】
本特徴構成によれば、炭酸ガスボンベを収容する第１部材と、噴出部を支持する第２部材とを分離させることができるので、容器を分離状態にすることで、第１部材に収容されている使用済みの炭酸ガスボンベを新しい炭酸ガスボンベに交換することができる。
炭酸ガスボンベの交換時には、容器を合体状態から分離状態に切り換える作業が行われるが、この作業に伴って第１配管と第２配管とが分離する。分離状態で使用済みの炭酸ガスボンベを新しい炭酸ガスボンベに交換した後、容器を分離状態から合体状態に切り換える作業が行われるが、この作業に伴って第１配管と第２配管とが結合する。
このように、炭酸ガスボンベの交換の際に、容器を分離状態と合体状態とに切り換える作業と同時にガス配管の分離及び結合ができるため、炭酸ガスボンベの交換作業の簡素化が図られる。
【００１６】
本考案に係る炭酸入浴装置の第６特徴構成は、前記第１部材及び前記第２部材の、一方に案内部が備えられ、他方に被案内部が備えられ、前記案内部は、前記第１部材及び前記第２部材を相対移動させて前記容器を前記分離状態と前記合体状態との間で切り換える場合の相対移動方向に沿って、前記被案内部を案内する点にある。
【００１７】
本特徴構成によれば、容器を分離状態と合体状態との間で切り換える場合に、案内部と被案内部とによる案内作用により第１部材及び第２部材の相対移動が案内される。そのため、容器を分離状態と合体状態との間で切り換え易い。また、第１部材及び第２部材の相対移動が案内されることにより、当該装置移動に伴うガス配管の分離及び結合が適切に行われる。
なお、容器を分離状態と合体状態との間で切り換える場合の第１部材及び第２部材の相対移動方向としては、容器の形状に基づいた好ましい移動方向が設定される。例えば、容器が直方体状である場合は、当該直方体の三辺の何れかの辺に沿った移動方向に設定され、容器が平面視円形の円柱状である場合は、当該円柱の円周方向に沿った移動方向に設定される。
【００１８】
本考案に係る炭酸入浴装置の第７特徴構成は、前記容器は、前記容器の内部と外部を連通させる連通孔を複数備えている点にある。
【００１９】
本特徴構成によれば、容器を浴槽の温水に水没させた場合に、容器内に温水が流入して容器に働く浮力が低減する。そのため、炭酸入浴装置を浴槽内に安定して設置できる。
【図面の簡単な説明】
【００２０】
【図１】炭酸入浴装置の設置状態を示す図
【図２】炭酸入浴装置の全体斜視図
【図３】炭酸入浴装置の分解斜視図
【図４】容器の合体状態と分離状態との切り換えを説明する斜視図
【図５】炭酸ガスボンベと噴出部との配置関係を示す横断平面図
【図６】炭酸ガスボンベと噴出部との配置関係を示す縦断側面図
【図７】炭酸ガスボンベと噴出部との配置関係を示す縦断正面図
【考案を実施するための形態】
【００２１】
本考案に係る炭酸入浴装置の実施形態を図面に基づいて説明する。以下の説明では、炭酸入浴装置を水平面上に設置した場合の鉛直方向を装置の上下方向として説明する。
図１は、本実施形態に係る炭酸入浴装置１の設置状態を例示する斜視図である。図１に示すように炭酸入浴装置１は、浴槽２に貯留された温水Ｗ中に水没させて使用される。炭酸入浴装置１は、以下に詳述するように、炭酸ガスが封入された炭酸ガスボンベ３を収容するとともに炭酸ガスボンベ３から流出する炭酸ガスＧを浴槽２内の温水Ｗ中に噴出する噴出部４を支持する容器５を備えている。
【００２２】
図２〜図４に示すように、本実施形態の容器５は、直方体状の箱体に構成されており、長尺な円柱状部分を有する炭酸ガスボンベ３を、円柱の軸心方向が容器５の底面部７に沿う倒れ姿勢で収容している。容器５は、炭酸ガスボンベ３を支持する第１部材５ａと、噴出部４を支持する第２部材５ｂとを分離自在に備えて、第１部材５ａと第２部材５ｂとが分離した分離状態と、第１部材５ａと第２部材５ｂとが合体した合体状態（図２に示す状態）とに切換自在に構成されている。
なお、分離状態とは、図３に示すように、第１部材５ａと第２部材５ｂとの接触がなく完全に分離した状態のみならず、図４に示すように、第１部材５ａと第２部材５ｂとが相互に係合した状態を含む。
【００２３】
第１部材５ａ及び第２部材５ｂは、直方体状の容器５の一辺としての平面視での長辺が延在する方向に沿って、直線状に相対移動自在に構成されている。本実施形態では、容器５は、倒れ姿勢で収容されている炭酸ガスボンベ３の軸心方向に平行な辺が平面視での長辺となる直方体状に構成されているため、第１部材５ａ及び第２部材５ｂは、炭酸ガスボンベ３の軸心方向に沿う方向に、直線状に相対移動自在に構成されている。
【００２４】
さらに、本実施形態では、容器５を合体状態から分離状態に切り換える場合の第１部材５ａ及び第２部材５ｂの相対移動方向、及び、容器５を分離状態から合体状態に切り換える場合の第１部材５ａ及び第２部材５ｂの相対移動方向はいずれも一方向であり互いに逆向きとなっている。具体的には、容器５を合体状態から分離状態に切り換える場合は、第１部材５ａに対して第２部材５ｂを炭酸ガスボンベ３の後端から先端に向かう方向に沿って移動させる。逆に、容器５を分離状態から合体状態に切り換える場合は、第１部材５ａに対して第２部材５ｂを炭酸ガスボンベ３の先端から後端に向かう方向に沿って移動させる。
【００２５】
図２〜図７に示すように、第１部材５ａは、炭酸ガスボンベ３を保持する保持体６を備えた底面部７と、底面部７の縁部に立設された側壁部８を備えている。側壁部８は平面視でコの字状に形成されており、側壁部８には切欠き部８ｇが形成されている。図７に示すように、本実施形態では、側壁部８の上端が保持体６に保持されている炭酸ガスボンベ３の上端よりも高く設定されているが、側壁部８の高さは炭酸ガスボンベ３の上端の高さより低くてもよい。
【００２６】
図３及び図５〜図７に示すように、保持体６は、炭酸ガスボンベ３を容器５におけるボンベ保持位置にて保持する。本実施形態では、保持体６は、炭酸ガスボンベ３の外周部に押圧状態で当接する複数の支持アーム６にて構成されており、炭酸ガスボンベ３を挟んで対向配置された複数の支持アーム６により炭酸ガスボンベ３の軸心方向の移動を許容する状態で炭酸ガスボンベ３を挟持している。炭酸ガスボンベ３を軸心方向の移動を許容する状態で支持することにより、長さの異なる炭酸ガスボンベをボンベ保持位置にて保持した状態で収容することが可能である。
【００２７】
複数の支持アーム６のそれぞれは、炭酸ガスボンベ３の外周部の曲面形状に対応した凹入部６ａが形成されており、これらの凹入部６ａにより炭酸ガスボンベ３の上下方向の位置が所定の位置となる状態で炭酸ガスボンベ３が保持されている。本実施形態では、炭酸ガスボンベ３の交換時における炭酸ガスボンベ３の抜き取り作業を行い易くするため、図６及び図７に示すように、保持体６は、炭酸ガスボンベ３の下端部が底面部７の上面から僅かに離間する高さで保持しているが、容器５の上下方向のコンパクト化を追求して炭酸ガスボンベ３の下端部が底面部７の上面に当接する高さで保持してもよい。また、保持体６を支持アーム６で構成せずに、例えば、発泡プラスチック系の材料であるウレタンフォームに炭酸ガスボンベ３の外周面の形状に対応した凹入部が形成されたボンベ載置台にて保持体６を構成してもよい。この場合、炭酸ガスボンベ３の少なくとも中央部分が嵌まり込んだ状態で、かつ、炭酸ガスボンベ３を軸心方向の移動を許容する状態で支持するのが好ましい。
【００２８】
図５〜図７に示すように、第１部材５ａは、先端部にレギュレータ１０が装着された状態の炭酸ガスボンベ３を収容する。レギュレータ１０は、炭酸ガスボンベ３に着脱自在でかつ装着状態で炭酸ガスＧを炭酸ガスボンベ３内の圧力よりも減圧した状態で外部に通流させる。
【００２９】
図５に示すように、レギュレータ１０のボンベ取り付け側の端部には、炭酸ガスボンベ３の先端部に形成された雄ネジ部３ａと螺合する雌ネジ部が内周面に形成されたボンベ取付部１０ａが設けられている。ボンベ取付部１０ａの奥底には針状のノズル（図示せず）が設けられており、レギュレータ１０のボンベ取付部１０ａに炭酸ガスボンベ３の雄ネジ部３ａをねじ込むことで、炭酸ガスボンベ３の先端部に形成された封止板（図示せず）が針状ノズルにより突き破られ、炭酸ガスボンベ３内の炭酸ガスＧが内部の圧力により流出する。
【００３０】
図２、図４、図６、図７に示すように、噴出部４は、長尺状の多孔質材料にて構成されており、本実施形態では、セラミックフィルタを採用している。噴出部４は、炭酸ガスボンベ３の軸心方向に沿う長尺状に形成されており、長手方向に延在する空間が内部に形成された中空構造となっており、全体として筒形状となっている。これにより噴出部４の長手方向の端部まで炭酸ガスＧが通流し易く、噴出部４の長手方向の全体から炭酸ガスＧを噴出させ易くなっている。
【００３１】
第２部材５ｂは、上面から下方に向かって凹入する凹入部１１を備えている。凹入部１１は、長尺状の噴出部４の外形状に対応した長尺状の溝状に形成されている。噴出部４は、その全体が溝状の凹入部１１に没入する状態で容器５に支持されている。図７に示すように、第２部材５ｂの上面高さＨ１（凹入部の仮想上面高さ）よりも噴出部４の上端高さＨ２が低くなっている。
【００３２】
噴出部４の全体が凹入部１１に没入する状態で噴出部４が支持されることにより、噴出部４は、幅方向（平面視で炭酸ガスボンベ３の軸心方向に直交する方向）の移動が規制された状態で支持されている。凹入部１１は、炭酸ガスボンベ３の軸心方向に沿う姿勢で配置されており、噴出部４を炭酸ガスボンベ３の軸心方向に沿う姿勢で支持している。このように、長尺状の噴出部４を炭酸ガスボンベ３の軸心方向に沿う姿勢で配置することで、容器５の幅方向の長さをコンパクトにできる。
【００３３】
第２部材５ｂは、噴出部４の長手方向の移動及び上下方向の移動が規制された状態で、噴出部４を支持するのが好ましい。本実施形態では、噴出部４の両端部が凹入部１１の両端部に係合している。これにより、噴出部４の上下方向及び長手方向の移動が規制されている。なお、噴出部４の移動の規制は、数ミリ程度の移動を許容する。そのため、例えば、噴出部４は、噴出部４に作用する浮力及び噴出される炭酸ガスＧにより噴出部４自体が凹入部１１の底部から離間した状態となり得る状態で支持されている。
【００３４】
第２部材５ｂがこのような支持形態により噴出部４を支持することで、噴出部４から噴出された炭酸ガスＧは、第２部材５ｂの構成部分とほとんど干渉することなく温水Ｗ内に供給される。これにより、噴出部４から温水Ｗ内に細泡状態で噴出された炭酸ガスＧは、細泡状態が維持されたまま温水Ｗ内に拡散し、温水Ｗ内への炭酸ガスＧの溶解が促進され、浴槽２内の温水Ｗにおける炭酸ガスＧの溶解度の向上を図ることができる。
【００３５】
図２〜図４及び図７に示すように、第２部材５ｂは、凹入部１１が形成されている上面部の縁部から垂設された側壁部９を備えている。側壁部９は平面視でコの字状に形成されており、側壁部９には切欠き部９ｇが形成されている。本実施形態では、図７に示すように、側壁部９の下端が第１部材５ａの底面部７に略達する長さに設定されているが、側壁部９の下端は、第１部材５ａの側壁部８の上端よりも低い位置となる範囲で適宜変更してもよい。
【００３６】
図２〜図６に示すように、容器５は、炭酸ガスボンベ３から噴出部４に亘って配設されて炭酸ガスボンベ３から流出する炭酸ガスＧが通流するガス配管１２を備えている。ガス配管１２は、ガス通流方向で炭酸ガスボンベ３側（上流側）となる第１配管１３と、ガス通流方向で噴出部４側（下流側）となる第２配管１４とを分離自在に備えている。
【００３７】
第１配管１３と第２配管１４とは、一対のカプラ１３ａ・１４ａにより分離自在となっている。すなわち、第１配管１３の下流側端部に第１カプラ１３ａが取り付けられ、第２配管１４の上流側端部に第２カプラ１４ａが取り付けられている。第１カプラ１３ａと第２カプラ１４ａとは、ガス通流方向沿って互いに離間する方向に分離用規定値以上の力で引っ張ると分離し、ガス通流方向沿って互いに接近する方向に接続用規定値以上の力で押し当てると気密状態に接続される。
【００３８】
第１配管１３は、レギュレータ１０及び第１カプラ１３ａ並びにレギュレータ１０と第１カプラ１３ａとを接続する可撓性の第１チューブ１３ｂとを備え、第２配管１４は、第２カプラ１４ａ並びに第２カプラ１４ａと噴出部４の端部とを接続する可撓性の第２チューブ１４ｂとを備え、ガス配管１２の流路途中には各種の継手などが必要に応じて適宜介在される。本実施形態では、図５に示すように、第１配管１３は、レギュレータ１０の出力端にＬ字継手１５を備えている。
【００３９】
図５及び図６に示すように、本実施形態では、第１チューブ１３ｂの経路途中に過度に曲率半径の小さな湾曲経路部分が形成されないように、炭酸ガスボンベ３に関して幅方向で一方側に配置されたＬ字継手１５に第１チューブ１３ｂの上流側端部を接続し、炭酸ガスボンベ３の後端部の近傍を経由させて、第１部材５ａにおいて炭酸ガスボンベ３に関して幅方向で他方側に固定状態で配置された第１カプラ１３ａに第１チューブ１３ｂの下流側端部を接続している。また、第２チューブ１４ｂは、第２部材５ｂに固定状態で配置された第２カプラ１４ａに下流側端部が接続され、第２部材５ｂの凹入部１１の長手方向の端部に支持されている噴出部４の端部に上流側端部が接続されている。
【００４０】
このように、第１配管１３は容器５の第１部材５ａに取り付けられ、第２配管１４は容器５の第２部材５ｂに取り付けられており、容器５を分離状態から合体状態に切り換えるに伴って、一対のカプラ１３ａ・１４ａが連結されることにより、第１配管１３と第２配管１４とが結合し、かつ、容器５を合体状態から分離状態に切り換えるに伴って、一対のカプラ１３ａ・１４ａが分離されることにより、第１配管１３と第２配管１４とが分離する。
【００４１】
上記のような、容器５の分離状態と合体状態との切り換え作業を行い易くするため、また、その切り換え作業に伴う第１部材５ａ及び第２部材５ｂの相対移動による第１配管１３と第２配管１４との分離及び結合を適切に行うことができるように、本実施形態の容器５は、第１部材５ａに案内部１６を備え、第２部材５ｂに被案内部１７を備えている。
【００４２】
本実施形態では、図２〜図４及び図７に示すように、案内部１６は、第１部材５ａにおける側壁部８のうち対向する一対の側壁部８の内面において内方側に膨出する状態で、第１部材５ａ及び第２部材５ｂの相対移動方向（噴出部４の延在方向。本実施形態では、炭酸ガスボンベ３の軸心方向に同じ。）に沿って連続的に形成されている。このような案内部１６の構成に対応して、被案内部１７は、第２部材５ｂにおける側壁部９のうち対向する一対の側壁部９の外面において内方側に凹入する状態で、第１部材５ａ及び第２部材５ｂの相対移動方向（噴出部４の延在方向。本実施形態では、炭酸ガスボンベ３の軸心方向に同じ。）に沿って連続的に形成されている。
【００４３】
このような構成により、案内部１６は、第１部材５ａ及び第２部材５ｂを相対移動させて容器５を分離状態と合体状態との間で切り換える場合の相対移動方向に沿って、被案内部１７を案内するようになっている。
【００４４】
案内部１６及び被案内部１７は、第１部材５ａにおける側壁部８と第２部材５ｂにおける側壁部９とが上下方向で重複する範囲内に形成できるので、図７等で図示したように容器５の底面部７に近い高さ以外の高さに形成してもよい。また、案内部１６及び被案内部１７は断続的に形成されていてもよい。さらに、容器５の合体状態と第１部材５ａ及び第２部材５ｂの係合している分離状態との間の全範囲に亘って第１部材５ａ及び第２部材５ｂの相対移動を案内する位置に案内部１６及び被案内部１７を形成するのではなく、容器５の合体状態の近傍においてのみ第１部材５ａ及び第２部材５ｂの相対移動を案内する位置に案内部１６及び被案内部１７を形成してもよい。
【００４５】
図４、図５、図７に示すように、第１部材５ａの側壁部８のうち対向配置されている部分が容器５の一対の外壁部８ａ・８ｂを形成し、第２部材５ｂの側壁部９のうち対向配置されている部分が容器５の一対の内壁部９ａ・９ｂを形成している。第１部材５ａにおける対向する一対の外壁部８ａ・８ｂのそれぞれは、第２部材５ｂにおける対向する一対の内壁部９ａ・９ｂのそれぞれの外方側に隣接しており、一対の外壁部８ａ・８ｂと一対の内壁部９ａ・９ｂとの間に形成される僅かな隙間は、容器５内と容器５の上方空間とを連通させている。一方で、図３及び図５〜図７に示すように、容器５は、容器５の内部と外部を連通させる連通孔１８を複数備えている。本実施形態では、第１部材５ａ及び第２部材５ｂの双方に連通孔１８が形成されているが、どちらか一方にだけ形成してもよい。
【００４６】
容器５を浴槽２の温水Ｗに沈下させた場合に、容器５が備える連通孔１８から温水Ｗが水圧により入流することになるが、一対の外壁部８ａ・８ｂと一対の内壁部９ａ・９ｂとの間に存在する隙間から容器５内の空気が上方に抜けやすくなっており、容器５内の空気と連通孔１８から流入してくる温水Ｗとの交換が行われ易い。そのため、容器５を浴槽２の温水Ｗに沈下させた場合に、容器５内に温水Ｗが適切に流入して、容器５内の空気を適切に排出できるため、容器５に働く浮力を小さくできる。したがって、炭酸入浴装置１を浴槽２の底部に安定して設置できる。
【００４７】
本実施形態に係る炭酸入浴装置１は、噴出部４の下端部が炭酸ガスボンベ３の上端部よりも低くなる状態で容器５に対して噴出部４及び炭酸ガスボンベ３が配置されている。図６及び図７に示すように、噴出部４の下端部の高さＨ３は、炭酸ガスボンベ３の上端部の高さＨ４よりも低くなっている。つまり、噴出部４の上下方向の占有範囲と炭酸ガスボンベ３の上下方向の占有範囲とが上下方向で重複する部分を有している。これにより、容器５の上下方向の寸法のコンパクト化を図っている。
【００４８】
図５に示すように、幅方向についても、噴出部４の幅方向の占有範囲と炭酸ガスボンベ３の幅方向の占有範囲とは重複する部分を有しているが、噴出部４の配置高さをさらに低くするために、噴出部４の幅方向の占有範囲と炭酸ガスボンベ３の幅方向の占有範囲とが重複する部分を有してないように配置してもよい。これにより、噴出部４の長手方向視の大きさによらず、噴出部４と炭酸ガスボンベ３とを上下方向で重複させても相互に干渉することがなく、噴出部４と炭酸ガスボンベ３との上下方向での重複量ができるだけ大きくなるような配置が可能となる。なお、本実施形態では、図７に示すように、噴出部４の上端部の高さＨ２が、炭酸ガスボンベ３の上端部の高さＨ４よりも高くなっている。
【００４９】
噴出部４の下端部は炭酸ガスボンベ３の上端部よりも低いので、噴出部４を炭酸ガスボンベ３の上端よりも上方に配置する場合に比べて、噴出部４が低く配置されることになる。そのため、炭酸入浴装置１がかさ高になることを抑制して炭酸入浴装置１の重心の位置が高くなることを抑制でき、炭酸入浴装置１を浴槽２内に設置した場合に安定性が良い。
さらに、噴出部４が低く配置されることで、炭酸入浴装置１を浴槽２内に設置した場合に、噴出部４と浴槽２の底面との距離が短くなるため、噴出部４が浴槽２内の温水Ｗの表面から遠ざかることになる。その結果、噴出部４から噴出された炭酸ガスＧが温水Ｗの表面に達するまでの距離が長くなり、その分、炭酸ガスＧが温水Ｗに滞在できる時間が長くなる。
このように、本実施形態に係る炭酸入浴装置１によれば、浴槽２内に安定よく設置でき、しかも、噴出部４から噴出された炭酸ガスＧが温水Ｗに滞在できる時間を長くできる。
【００５０】
〔別の実施形態〕
以上、考案者によってなされた考案を考案の実施の形態に基づき具体的に説明したが、本考案は上記実施形態に限定されるものではなく、その要旨を逸脱しない範囲で種々変更可能である。以下、本考案の別実施形態を例示する。上記実施形態及び下記実施形態は、矛盾の生じない範囲で組み合わすことができる。
【００５１】
（１）上記実施形態では、容器の形状が平面視略矩形状のもの例示したが、容器の形状はこれに限定されない。例えば、容器の形状は、平面視円形状や平面視楕円形状であってもよい。
【００５２】
（２）上記実施形態では、容器を合体状態から分離状態に切り換えることでガス配管が分離される構成を例示したが、ガス配管の長さを十分に長く設定して、分離状態でもガス配管が分離されずに炭酸ガスボンベと噴出部とに亘って配設されるようにしてもよい。この場合、ガス配管のうち可撓性の部分を長くすることが好ましい。
【００５３】
（３）
上記実施形態では、第１部材と第２部材とが直線状に平行移動する形態で相対移動自在であるものを例示したが、第１部材と第２部材とが円弧状又は螺旋状に回転移動する形態で相対移動するものであってもよい。例えば、容器が平面視円形の円柱状である場合は、当該円柱の円周方向に沿って第１部材と第２部材とが螺旋状に回転移動する形態で相対移動するように構成するのが好ましい。また、第１部材と第２部材とを水平軸心の連結軸により枢支連結し、第１部材及び第２部材が当該連結軸の水平軸心周りに円弧状に相対揺動する形態で相対移動するものでもよい。
【００５４】
（４）
上記実施形態では、噴出部４の上端部の高さＨ２が、炭酸ガスボンベ３の上端部の高さＨ４よりも高くなっているものを例示したが、噴出部４の上端部の高さＨ２が、炭酸ガスボンベ３の上端部の高さＨ４よりも低くなるように炭酸ガスボンベ３及び噴出部４を配置してもよい。この場合、噴出部４の上下方向の占有範囲が炭酸ガスボンベ３の上下方向の占有範囲に包含されることになる。
【００５５】
（５）上記実施形態では、第２部材が単一の噴出部を支持するものを例示したが、第２部材が複数の噴出部を支持する構成であってもよい。
【００５６】
（６）上記実施形態では、噴出部が直線状に長尺な筒体に構成されたものを例示したが、これに代えて、噴出部が球形状や環形状（外形状が、円形・楕円・長円である各種の環形状であるものを含む）に構成されたものであってもよい。噴出部が球形状の場合、第２部材における凹入部の外形を円形に形成することが好ましい。また、噴出部が環形状の場合、第２部材における凹入部は噴出部の形状に応じた平面視で環状の凹入部とすることが好ましい。
【００５７】
（７）上記実施形態では、噴出部の全体が凹入部に没入する状態で容器に支持されているものを例示したが、噴出部は、凹入部に一部が没入する状態で容器に支持されていてもよい。この場合、噴出部の上方側の一部が容器の上面から突出する状態で支持されることになり、温水中への炭酸ガスの拡散が促進される。噴出部の支持形態は凹入部に支持される形態に限らず、容器の上面から上方に突出する支持部材により噴出部を支持してもよい。さらに、容器の上面に開口部を形成し、当該開口から噴出部の上方側の一部が容器の上方に突出するように支持してもよい。
【００５８】
（８）上記実施形態では、減圧部から流出する炭酸ガスを直接噴出部に通流させる構成を例示したが、減圧部と噴出部との間にスピードコントローラ（流量調整弁）を設けてもよい。この場合、流量の調節を容器の外部から操作できるように構成するのが好ましい。
【符号の説明】
【００５９】
１      ：炭酸入浴装置
２      ：浴槽
３      ：炭酸ガスボンベ
４      ：噴出部
５      ：容器
５ａ    ：第１部材
５ｂ    ：第２部材
６ａ    ：凹入部
１２    ：ガス配管
１３    ：第１配管
１４    ：第２配管
１６    ：案内部
１７    ：被案内部
１８    ：連通孔
Ｇ      ：炭酸ガス
Ｈ３    ：噴出部の下端部の高さ
Ｈ４    ：炭酸ガスボンベの上端部の高さ
Ｗ      ：温水
【図１】
0003204539.tif 000003
【図２】
0003204539.tif 000004
【図３】
0003204539.tif 000005
【図４】
0003204539.tif 000006
【図５】
0003204539.tif 000007
【図６】
0003204539.tif 000008
【図７】
0003204539.tif 000009